(57)【要約】【課題】電極の材料の選択の自由度が向上し光透過性を確保した静電容量型入力装置及びそれを備えた電子機器を提供すること課題とする。【解決手段】実施例１の静電容量型入力装置は、光透過性を有したベース板（１）と、ベース板（１）に対して背面側に形成され、互いに交差するＹ方向及びＸ方向にそれぞれ延びた第１電極（１０ａ〜１０ｃ）及び第２電極（２０ａ〜２０ｄ）と、を備え、第１電極（１０ａ）は、開口部（１０ａ５）を含む。【選択図】図２
2011150502.tif 000002
【特許請求の範囲】
【請求項１】
光透過性を有したベース板と、
前記ベース板に対して一方側に形成され、互いに交差する第１及び第２方向にそれぞれ延びた第１及び第２電極と、を備え、
前記第１電極は、開口部を含む、静電容量型入力装置。
【請求項２】
光透過性を有したベース板と、
前記ベース板に対して一方側に形成され、互いに交差する第１及び第２方向にそれぞれ延びた第１及び第２電極と、
基材部、前記基材部と光透過率が相違し模様が施された指標部、を有した装飾層と、を備え、
前記第１及び第２電極は、前記ベース板の正面から見て前記指標部から退避している、静電容量型入力装置。
【請求項３】
前記ベース板の正面から見て前記第１及び第２電極の双方と重なり前記開口部と重なり光透過性を有した導電部を備えた、請求項１の静電容量型入力装置。
【請求項４】
前記ベース板の正面から見て前記第１及び第２電極の双方と重なり前記指標部と重なり光透過性を有した導電部を備えた、請求項２の静電容量型入力装置。
【請求項５】
前記導電部と前記第１及び第２電極との間に形成された絶縁層を備えている、請求項１乃至４の何れかの静電容量型入力装置。
【請求項６】
前記導電部は、前記第１電極とは重なって直接接触しているが前記第２電極とは重なっていない第１導電部、前記第２電極とは重なって直接接触しているが前記第１電極とは重なっておらず前記第１導電部と分離した第２導電部、を含む、１乃至４の何れかの静電容量型入力装置。
【請求項７】
前記第１及び第２電極の背面側から正面側に光を照射する発光手段を備えている、請求項１乃至６の何れかの静電容量型入力装置。
【請求項８】
前記発光手段は、前記ベース板に一体に形成されている無機ＥＬ素子である事を特徴とする、請求項７の静電容量型入力装置。
【請求項９】
前記指標部に施された模様は、文字、数字、記号、及び図柄のうち少なくとも一つを含む、請求項２の静電容量型入力装置。
【請求項１０】
請求項１乃至９の静電容量型入力装置を備えたことを特徴とする電子機器。
【発明の詳細な説明】
【技術分野】
【０００１】
本発明は、静電容量型入力装置及びそれを備えた電子機器に関する。
【背景技術】
【０００２】
特許文献１には、静電容量型の入力装置が開示されている。静電容量型の入力装置は、平面内における第１及び第２方向にそれぞれ延びた第１及び第２電極を採用している。第１及び第２電極の背面側には、第１及び第２電極の背面側から正面側に光を照射する発光手段を採用したものがある。発光手段としては、例えば、ＬＥＤや有機ＥＬ、発光すると共に映像を表示可能なディスプレイなどがある。
【先行技術文献】
【特許文献】
【０００３】
【特許文献１】特開２００９−１２３１０６号公報
【発明の概要】
【発明が解決しようとする課題】
【０００４】
一般的に、操作の検出精度を考慮して、第１及び第２電極はユーザの指が接触する操作領域の全面を覆うように形成される。また、第１及び第２電極が操作領域の全面を覆うことに伴い、発光手段からの光が第１及び第２電極に妨げられるおそれがある。この点を考慮して、第１及び第２電極としては透明な電極が採用されている。
【０００５】
このように、従来の静電容量型の入力装置においては、第１及び第２電極としては透明な電極を採用することが前提となっている。発光手段からの光の透過性を考慮して第１及び第２電極として透明な電極を採用する場合、第１及び第２電極の材料の選択が制限される。即ち、コストや抵抗値等の特性を考慮して広範囲の材料の中から、電極に適した材料を選択することが困難であった。
【０００６】
そこで本発明は、電極の材料の選択の自由度が向上し光透過性を確保した静電容量型入力装置及びそれを備えた電子機器を提供することを目的とする。
【課題を解決するための手段】
【０００７】
上記目的は、光透過性を有したベース板と、前記ベース板に対して一方側に形成され、互いに交差する第１及び第２方向にそれぞれ延びた第１及び第２電極と、を備え、前記第１電極は、開口部を含む、静電容量型入力装置によって達成できる。
【０００８】
これにより、第１及び第２電極に透明以外の電極を採用した場合であっても、開口部では、第１及び第２電極の背面側から正面側に向かって光が透過する。これにより、電極の材料の選択の自由度が向上し、製造コストの低い印刷工法によって生産可能な、光透過性を確保した静電容量型入力装置を提供できる。
【０００９】
また、上記目的は、光透過性を有したベース板と、前記ベース板に対して一方側に形成され、互いに交差する第１及び第２方向にそれぞれ延びた第１及び第２電極と、基材部、前記基材部と光透過率が相違し模様が施された指標部、を有した装飾層と、を備え、前記第１及び第２電極は、前記ベース板の正面から見て前記指標部から退避している、静電容量型入力装置によって達成できる。
【００１０】
これにより、第１及び第２電極に透明以外の電極を採用した場合であっても、指標部においては、第１及び第２電極の背面側から正面側に向かって光が透過する。これにより、電極の材料の選択の自由度が向上し光透過性を確保した静電容量型入力装置を提供できる。
【００１１】
上記目的は、上記の静電容量型入力装置を備えた電子機器によっても達成できる。
【発明の効果】
【００１２】
本発明によれば、電極の材料の選択の自由度が向上し光透過性を確保した静電容量型入力装置及びそれを備えた電子機器を提供できる。
【図面の簡単な説明】
【００１３】
【図１】図１は、実施例１の静電容量型入力装置を正面から見た透視図である。
【図２】図２は、指標部周辺の拡大図である。
【図３】図３Ａ、３Ｂは、実施例１の静電容量型入力装置の断面図である。
【図４】図４は、従来の静電容量型入力装置に採用される電極の形状の説明図である。
【図５】図５Ａ、５Ｂは、実施例１の静電容量型入力装置の製造方法の説明図である。
【図６】図６Ａ、６Ｂは、実施例１の静電容量型入力装置の製造方法の説明図である。
【図７】図７Ａ、７Ｂは、実施例１の静電容量型入力装置の製造方法の説明図である。
【図８】実施例２の静電容量型入力装置における指標部周辺の拡大図である。
【図９】図９Ａ、９Ｂは、実施例２の静電容量型入力装置の断面図である。
【図１０】図１０は、実施例３の静電容量型入力装置における指標部周辺の拡大図である。
【図１１】図１１は、実施例３の静電容量型入力装置の断面図である。
【図１２】図１２は、実施例４の静電容量型入力装置の断面図である。
【図１３】図１３は、実施例５の静電容量型入力装置の断面図である。
【発明を実施するための形態】
【００１４】
以下、図面を参照して複数の実施例を説明する。
【実施例１】
【００１５】
図１は、実施例１の静電容量型入力装置を正面から見た透視図である。静電容量型入力装置は、薄いシート状である。図１に示すように、静電容量型入力装置は、ベース板１、装飾層３、導電層５、第１電極１０ａ〜１０ｃ、第２電極２０ａ〜２０ｃ、レジスト３０、連結電極４０、透明電極層５１、背面電極層５７を含む。第１電極１０ａ〜１０ｃ、第２電極２０ａ〜２０ｃは、詳しくは後述するがベース板１の背面側に形成されている。図１において、静電容量型入力装置の構成の一部を省略してある。
【００１６】
第１電極１０ａ〜１０ｃのそれぞれは、静電容量型入力装置の平面内において第１方向、即ちＹ方向に延びている。第１電極１０ａ〜１０ｃは、ユーザの操作位置のＸ方向の位置を検出するためのものである。第２電極２０ａ〜２０ｄのそれぞれは、静電容量型入力装置の平面内において、第２方向、即ちＸ方向に延びている。第２電極２０ａ〜２０ｄは、ユーザの操作位置のＹ方向の位置を検出するためのものである。尚、第１電極１０ａが延びた第１方向と、第２電極２０ａが延びた第２方向とは互いに交差していれば直交していなくてもよい。
【００１７】
第１電極１０ａ〜１０ｃ、第２電極２０ａ〜２０ｄは、それぞれ分離している。第１電極１０ａ〜１０ｃ、第２電極２０ａ〜２０ｄは、導電性を有し光透過性を有しない材料によって形成され、有色である。尚、第１電極１０ａ〜１０ｃ、第２電極２０ａ〜２０ｄは、ＩＴＯ（Ｉｎｄｉｕｍ  Ｔｉｎ  Ｏｘｉｄｅ）等の光透過性の高い材料によって形成されていてもよい。
【００１８】
装飾層３は、基材部、基材部の複数の所定箇所に模様が施された指標部３ａが形成されている。指標部３ａは、ユーザに、検出可能な位置を視認させる機能を有している。図１に例示した静電容量型入力装置においては、指標部３ａに数字、記号が記載された例を示している。指標部３ａは、数字、記号以外の文字や、図柄であってもよい。また、一つの指標部３ａは、数字、記号、文字、及び図柄のうち少なくとも２つを組み合わせたものであってもよい。第１電極１０ａ〜１０ｃ、第２電極２０ａ〜２０ｄは、指標部３ａと重ならないように指標部３ａから退避している。
【００１９】
ベース板１の正面から見て、複数の導電層５は、それぞれ複数の指標部３ａに重なるように設けられている。導電層５は、それぞれ略円形状であるが、このような形状に限定されない。複数の導電層５は、互いに分離している。
【００２０】
指標部３ａ周辺の構造について説明する。
図２は、指標部３ａ周辺の拡大図である。第１電極１０ａは、Ｙ方向に延びた直線状の主経路部１１ａ１、１１ａ２、主経路部１１ａ１から分岐して再び主経路部１１ａ２と連続した分岐路部１２ａ、１３ａを有している。分岐路部１２ａ、１３ａは、指標部３ａを囲っている。分岐路部１２ａ、１３ａは、全体で略円形状である。
【００２１】
分岐路部１２ａ、１３ａは、全体で略多角形状であってもよい。分岐路部１２ａ、１３ａの少なくとも一つが直線状であってもよい。分岐路部１２ａ、１３ａは、指標部３ａ周囲を包囲しているが、一部分が破断していても、分岐路部１２ａ、１３ａの少なくとも一方が再び主経路部１１ａ２に連続すればよい。
【００２２】
分岐路部１２ａ、１３ａは、開口部１０ａ５を画定する。即ち、第１電極１０ａは、開口部１０ａ５を有している。開口部１０ａ５内に指標部３ａが位置している。開口部１０ａ５は、略円形状であるがこれに限定されず例えば多角形状であってもよい。
【００２３】
第２電極２０ｂは、Ｘ方向に延びた直線状の主経路部２１ｂ１、２１ｂ２、主経路部２１ｂ１から分岐した２２ｂ１、２３ｂ１、主経路部２１ｂ２から分岐した分岐路部２２ｂ２、２３ｂ２を有している。後述するように、分岐路部２３ｂ１、２３ｂ２は、連結電極４０を介して接続され、主経路部２１ｂ１と主経路部２１ｂ２とが連続したものとなっている。分岐路部２２ｂ１の終端は主経路部１１ａ２と対向し、分岐路部２３ｂ１の終端は主経路部１１ａ１と対向している。分岐路部２２ｂ２、２３ｂ２は、主経路部２１ｂ２から分岐している。分岐路部２２ｂ２の終端は主経路部１１ａ２と対向している。分岐路部２３ｂ２の終端は主経路部１１ａ１と対向している。分岐路部２３ｂ１の終端と分岐路部２３ｂ２の終端とは、連結電極４０を介して導通している。
【００２４】
分岐路部２２ｂ１、２３ｂ１は、分岐路部１２ａに沿うように分岐路部１２ａの外側に形成され、円弧状である。分岐路部２２ｂ２、２３ｂ２も同様に、分岐路部１３ａに沿うように分岐路部１３ａの外側に形成され、円弧状である。分岐路部２２ｂ１、２２ｂ２、２３ｂ１、２３ｂ２全体で略円形状となる。第２電極２０ｂは、ベース板１の正面から見て第１電極１０ａの外側に形成されている。
【００２５】
分岐路部２２ｂ１、２２ｂ２、２３ｂ１、２３ｂ２は、全体で略多角形状であってもよい。分岐路部２２ｂ１、２２ｂ２、２３ｂ１、２３ｂ２の少なくとも一つが直線状であってもよい。
【００２６】
分岐路部２２ｂ１、２２ｂ２、２３ｂ１、２３ｂ２は、開口部２０ｂ５を画定する。即ち、第２電極２０ｂは、開口部２０ｂ５を有している。開口部２０ｂ５内に、分岐路部１２ａ、１３ａ、指標部３ａが位置している。開口部２０ｂ５は、略円形状であるがこれに限定されず例えば多角形状であってもよい。
【００２７】
導電層５は、指標部３ａ周囲に設けられた分岐路部１２ａ、１３ａ、２２ｂ１、２２ｂ２、２３ｂ１、２３ｂ２の形状に対応させるために略円形状に形成されている。導電層５は、ベース板１の正面から見て、指標部３ａ、分岐路部１２ａ、１３ａ、２２ｂ１、２２ｂ２、２３ｂ１、２３ｂ２に重なっている。導電層５は、光透過性の高い材料により形成されており、透明である。尚、隣接する導電層５同士は接触していない。
【００２８】
図３Ａ、３Ｂは、実施例１の静電容量型入力装置の断面図である。図３Ａは、図２のＡ−Ａ断面図、図３Ｂは、図２のＢ−Ｂ断面図である。図３Ａに示すように、ベース板１の上面はユーザの指Ｆと接触する。静電容量型入力装置は、図３Ａの上側から下側に順に、ベース板１、装飾層３、導電層５、絶縁層７、絶縁層５０、透明電極層５１、発光層５３、誘電体層５５、背面電極層５７、保護層５９が形成されている。絶縁層７の表面に、主経路部１１ａ１、２３ｂ１、２３ｂ２、レジスト３０、連結電極４０が形成されている。ベース板１、装飾層３、導電層５、絶縁層７、第１電極１０ａ〜１０ｃ、第２電極２０ａ〜２０ｄは、静電容量検出層、即ちタッチパネルとしての機能を実現している。絶縁層５０、透明電極層５１、発光層５３、誘電体層５５、背面電極層５７、保護層５９は、発光手段の一例である無機エレクトロルミネッセンス（Inorganic Electro-Luminescence：無機ＥＬ）素子としての機能を実現している。（以降、無機エレクトロルミネッセンス素子を単に無機ＥＬ、無機ＥＬを構成する前記絶縁層５０〜保護層５９までを無機ＥＬ層という。）発光層５３は、第１電極１０ａ〜１０ｃ、第２電極２０ａ〜２０ｄの背面側から正面側に向かう方向Ｄへ照射する。
【００２９】
このように実施例１の静電容量型入力装置は、静電容量検出層と発光手段とが一体に形成されている。詳細には、静電容量検出層の基材となるベース板１に発光手段の一例である無機ＥＬ層が一体に形成されている。実施例１の静電容量型入力装置は、静電容量検出層と発光手段とを別体に設ける場合と比較して、部品としての取扱い性が向上する。また、静電容量検出層と発光手段とを別体に設けた場合と比較して、実施例１の静電容量型入力装置は薄型化が達成される。
【００３０】
図３Ａ、３Ｂに示すように、第１電極１０ａ〜１０ｃ、第２電極２０ａ〜２０ｄは、絶縁層７の表面上に形成され、同一の層に形成されている。図３Ａに示すように、レジスト３０は、主経路部１１ａ１と、連結電極４０との間の絶縁性を確保するための機能を有している。レジスト３０は、主経路部１１ａ１を覆うように形成されている。連結電極４０は、導電性を有しており、分岐路部２３ｂ１と分岐路部２３ｂ２とを接続している。
【００３１】
導電層５は、接触の検出精度の向上させる機能を有している。図３Ａ、３Ｂに示すように、導電層５は、第１電極１０ａ〜１０ｃ、第２電極２０ａ〜２０ｄが形成されている層よりも、正面側、即ち、ユーザの指が接触する側に形成されている。導電層５は、第１電極１０ａ〜１０ｃ、第２電極２０ａ〜２０ｄの何れにも接触していない。図３Ａ、３Ｂに示すように、導電層５と、第１電極１０ａ、第２電極２０ｂとの間には絶縁層７が形成されている。
【００３２】
ユーザの指Ｆが導電層５と重なるように触れることにより、指Ｆと導電層５との間に静電容量が生じる。これに伴って、導電層５と第１電極１０ａ、第２電極２０ｂとの間に静電容量が生じる。これにより、検出精度が向上する。例えば、導電層５が設けられていない場合、ユーザの指Ｆが、第１電極１０ａ〜１０ｃ、第２電極２０ａ〜２０ｄのいずれにも重ならない場合、ユーザの指Ｆと第１電極１０ａ〜１０ｃ、第２電極２０ａ〜２０ｄのいずれとの間にも十分な静電容量が生じずに、接触位置を検出できない恐れがある。導電層５が設けられていないと、例えば開口部１０ａ５内の領域のみを触れた場合には、接触位置を検出できないおそれがある。しかしながら、導電層５が開口部１０ａ５や指標部３ａと重なるように設けられているので、上記のような検出精度の低下が防止されている。
【００３３】
ここで、従来の静電容量型入力装置に採用される電極の形状について説明する。図４は、従来の静電容量型入力装置に採用される電極の形状の説明図である。図４に示すように、従来の静電容量型入力装置では、Ｙ方向に延びた電極１０ｘと、Ｘ方向に延びた電極２０ｘとを有している。図４には一列しか示していないが、複数の電極１０ｘが、Ｘ方向に並んでいる。同様に、複数の電極２０ｘがＹ方向に並ぶ。電極１０ｘは、Ｙ方向に直線状に延びた主経路部１１ｘ１、１１ｘ２、１１ｘ３を有している。主経路部１１ｘ１と主経路部１１ｘ２との間には、主経路部１１ｘ１、１１ｘ２よりも面積が大きいパッド部１５ｘ１、主経路部１１ｘ２と主経路部１１ｘ３との間には、主経路部１１ｘ２、１１ｘ３よりも面積が大きいパッド部１５ｘ２が形成されている。パッド部１５ｘ１、１５ｘ２は、それぞれ平行四辺形状である。同様に、電極２０ｘは、主経路部２１ｘ１と主経路部２１ｘ２との間にパッド部２５ｘ１が形成され、主経路部２１ｘ２と主経路部２１ｘ３との間にパッド部２５ｘ２が形成されている。
【００３４】
このように、従来の静電容量型入力装置において、電極１０ｘ、２０ｘはそれぞれ複数のパッド部を有し、この複数のパッド部がユーザが触れる操作領域の略全面を覆うように形成されている。即ち、電極１０ｘ、２０ｘは、ユーザが触れる操作領域の略全面を覆うように形成されている。このため、これら電極１０ｘ、２０ｘの背面側に発光手段を配置した場合、発光手段からの光が電極１０ｘ、２０ｘにより妨げられるおそれがある。この点を考慮して、従来の静電容量型入力装置においては、電極１０ｘ、２０ｘに透明な電極が採用されている。しかしながら、電極１０ｘ、２０ｘとして透明な電極しか採用できないため、電極１０ｘ、２０ｘの材料の選択が制限される。即ち、コストや抵抗値等の特性を考慮して広範囲の材料の中から、電極に適した材料を選択することが困難であった。
【００３５】
本実施例の静電容量型入力装置は、図１、図２に例示したように、第１電極１０ａは、開口部１０ａ５を有している。これにより、従来の静電容量型入力装置と異なり、第１電極１０ａ〜１０ｃ、第２電極２０ａ〜２０ｄは、静電容量型入力装置の操作領域の全面を覆っていはいない。このため、発光層５３からの光は、開口部１０ａ５を透過する。換言すれば、分岐路部１２ａ、１３ａとの間を光が透過する。これにより、第１電極１０ａ〜１０ｃ、第２電極２０ａ〜２０ｄに透明以外の電極を採用した場合であっても、第１電極１０ａ〜１０ｃ、第２電極２０ａ〜２０ｄの背面側から正面側に向かって光の透過を確保することができる。これにより、第１電極１０ａ〜１０ｃ、第２電極２０ａ〜２０ｄの材料の選択の自由度が向上する。
【００３６】
第１電極１０ａ〜１０ｃ、第２電極２０ａ〜２０ｄの材料として、例えば銀ペーストを採用できる。銀ペーストは、ＩＴＯよりもコストが安い。また、第１電極１０ａ〜１０ｃ、第２電極２０ａ〜２０ｄの材料としてＩＴＯを採用すると、蒸着工程やエッチング工程が必要となる。従って、第１電極１０ａ〜１０ｃ、第２電極２０ａ〜２０ｄの材料として例えば銀ペーストを採用して、スクリーン印刷工法を行なうことにより、ＩＴＯを採用した場合と比較しコストを抑えることができる。また銀は、ＩＴＯよりも抵抗値も低い。これにより抵抗値の低い第１電極１０ａ〜１０ｃ、第２電極２０ａ〜２０ｄを形成できるので、検出精度が向上する。
【００３７】
実施例１の静電容量型入力装置は、複数の導電層５を採用している。導電層５は透明であるが、複数の導電層５は、静電容量型入力装置の操作領域の全面を覆うように設けられているわけではない。従って、例えば導電層５をＩＴＯにより形成した場合であっても、従来の静電容量型入力装置のようにＩＴＯにより電極を形成した場合と比較し、製造コストを抑制できる。このように、実施例１の静電容量型入力装置は、できる限り製造コストを抑制しつつ検出精度も確保している。また、導電層５は透明であるので光の透過を妨げることはない。
【００３８】
実施例１の静電容量型入力装置の製造方法について説明する。
実施例１の静電容量型入力装置は、大半の工程においてスクリーン印刷により製造する。図５Ａ、５Ｂ、６Ａ、６Ｂ、７Ａ、７Ｂは、実施例１の静電容量型入力装置の製造方法の説明図である。図５Ａ、５Ｂ、６Ａ、６Ｂ、７Ａ、７Ｂにおいては、背面側を示している。
【００３９】
図５Ａに示すように、スクリーン印刷により、ベース板１の背面側に装飾層３を形成する。ベース板１は、例えばＰＥＴ（ポリエチレンテレフタラート）フィルム製であり厚みは約２５〜２００μｍである。尚、ベース板１は、ポリカーボネートや、アクリル系、ポリイミド系であってもよい。ベース板１は、光透過性を有していればよい。ベース板１は可撓性を有しているが、可撓性を有していなくてもよい。装飾層３は、例えばポリエステル系樹脂製であり厚みは約５〜５０μｍである。装飾層３は、フッ素系樹脂、アクリル系樹脂、ポリスチレン、ポリウレタン、ポリイミド、ポリ塩化ビニル製であってもよい。尚、静電容量型入力装置を製造するにあたり、装飾層３を設けなくてもよい。
【００４０】
次に、図５Ｂに示すように、装飾層３の背面側に導電層５を形成する。導電層５は、例えばＰＥＤＯＴ（ポリエチレンジオキシチオフェン）であり厚みは約１〜５０μｍである。導電層５は、ポリチオフェン系等の有機導電性インク、ＩＴＯ分散インク、カーボンナノチューブ分散インク等により形成してもよい。
【００４１】
次に、導電層５を覆うように、装飾層３、導電層５の背面側に絶縁層７をスクリーン印刷により形成する。絶縁層７は、例えばポリエステル系樹脂製であり厚みは約５〜５０μｍである。絶縁層７は、フッ素系樹脂、アクリル系樹脂、ポリスチレン、ポリウレタン、ポリイミド、ポリ塩化ビニル製であってもよい。
【００４２】
次に、図６Ａに示すように、絶縁層７の背面側に第１電極１０ａ〜１０ｃ、第２電極２０ａ〜２０ｄをスクリーン印刷により形成する。第１電極１０ａ〜１０ｃ、第２電極２０ａ〜２０ｄは、例えば銀インク（銀フィラをバインダに混ぜたもの）により形成し、厚みは約５〜５０μｍである。第１電極１０ａ〜１０ｃ、第２電極２０ａ〜２０ｄは、その他、ＩＴＯ分散インク、カーボン、銀カーボンインク、金インク等により形成してもよい。
【００４３】
次に、図６Ｂに示すように、第１電極１０ａ〜１０ｃの背面側の一部にレジスト３０をスクリーン印刷により形成する。レジスト３０は、例えばポリエステル系樹脂製であり厚みは約５〜５０μｍである。レジスト３０は、フッ素系樹脂、アクリル系樹脂、ポリスチレン、ポリウレタン製であってもよい。
【００４４】
次に、図７Ａに示すように、レジスト３０の背面側、及び第２電極２０ａ〜２０ｄの背面側の一部に、連結電極４０をスクリーン印刷により形成する。連結電極４０は、例えば銀インク（銀フィラをバインダに混ぜたもの）により形成し、厚みは約５〜５０μｍである。連結電極４０は、ＩＴＯ分散インク、カーボン、銀カーボンインク、金インク等により形成してもよい。
【００４５】
次に、絶縁層７、第１電極１０ａ〜１０ｃ、第２電極２０ａ〜２０ｄ、連結電極４０の背面側を覆うように、絶縁層５０をスクリーン印刷により形成する。絶縁層５０は、例えばポリエステル系樹脂製であり厚みは約５〜５０μｍである。絶縁層５０は、フッ素系樹脂、アクリル系樹脂、ポリスチレン、ポリウレタン、ポリイミド、ポリ塩化ビニル製であってもよい。
【００４６】
次に、図７Ｂに示すように、絶縁層５０の背面側に、透明電極層５１をスクリーン印刷により形成する。透明電極層５１は、例えばＰＥＤＯＴ（ポリエチレンジオキシチオフェン）製であり厚みは約１〜３０μｍである。透明電極層５１は、ポリチオフェン系の導電性インク、ＩＴＯ分散インク、カーボンナノチューブ分散インクにより形成してもよい。透明電極層５１は、無機ＥＬ用の電極として機能する。尚、図７Ｂにおいては、絶縁層５０は省略してある。
【００４７】
次に、透明電極層５１の背面側に発光層５３をスクリーン印刷により形成する。発光層５３は、例えば蛍光体粒子とフッ素系樹脂とにより形成され厚みは約５〜５０μｍである。発光層５３は、蛍光体粒子とセルロース系樹脂により形成してもよい。蛍光体粒子とは、硫化亜鉛、又は硫化亜鉛に他の金属（銅など）をドープしたものを含む。
【００４８】
次に、発光層５３の背面側に誘電体層５５をスクリーン印刷により形成する。誘電体層５５は、例えばチタン酸バリウム（ＢａＴｉＯ３）とフッ素系樹脂とにより形成され厚みは約５〜５０μｍである。誘電体層５５は、チタン酸バリウム（ＢａＴｉＯ３）とセルロース系樹脂により形成してもよい。誘電体層５５は、高い誘電率を有している。
【００４９】
次に、誘電体層５５の背面側に背面電極層５７をスクリーン印刷により形成する。背面電極層５７は、例えばカーボンインク（カーボンフィラをバインダに混ぜたもの）により形成され厚みは約５〜５０μｍである。背面電極層５７は、ＩＴＯ分散インク、カーボン、銀カーボンインク、金インク等により形成してもよい。背面電極層５７は、無機ＥＬ用の電極として機能する。
【００５０】
次に、背面電極層５７の背面側に保護層５９をスクリーン印刷により形成する。保護層５９は、例えばポリエステル系樹脂製であり厚みは約５〜５０μｍである。保護層５９は、フッ素系樹脂、アクリル系樹脂、ポリスチレン、ポリウレタン、ポリイミド、ポリ塩化ビニル製であってもよい。
【００５１】
以上のように、静電容量型入力装置は、発光手段として機能する絶縁層５０〜保護層５９を含めて、スクリーン印刷により製造される。このように各層を同一の方法により製造することができるので、製造コストを抑えることができる。
【実施例２】
【００５２】
実施例２の静電容量型入力装置について説明する。図８は、実施例２の静電容量型入力装置における指標部３ａ周辺の拡大図である。図８は、図２と対応している。図８に示すように、実施例２の静電容量型入力装置には導電層５は設けられていない。従って、開口部１０ａ５内の部分にのみユーザの指が触れた場合には、接触位置を検出できないおそれがある。しかしながら、開口部１０ａ５の大きさを小さくすることにより対応可能である。
【００５３】
図９Ａ、９Ｂは、実施例２の静電容量型入力装置の断面図である。図９Ａは、図８のＣ−Ｃ断面図、図９Ｂは、図８のＤ−Ｄ断面図である。図９Ａ、９Ｂに示すように、装飾層３の背面側には導電層５は形成されていない。このため、実施例２の静電容量型入力装置は、実施例１の静電容量型入力装置よりも薄く、低コストで形成されている。
【実施例３】
【００５４】
実施例３の静電容量型入力装置について説明する。図１０は、実施例３の静電容量型入力装置における指標部３ａ周辺の拡大図である。図１０は、図２と対応している。図１０に示すように、導電層５ａは、第１電極１０ａの一部にのみ重なり、導電層５ｂは、第２電極２０ｂの一部にのみ重なるように形成されている。尚、図１０においては、導電層５ａ、５ｂをハッチングで示している。導電層５ａ、５ｂは分離しており導通していない。導電層５ａ、５ｂは、ベース板１の正面側から見て、指標部３ａ、開口部１０ａ５と重なっている。導電層５ａ、５ｂは、それぞれ、開口部１０ａ５の略半分と重なっている。換言すれば、導電層５ａ、５ｂは、分岐路部１２ａ、１３ａとの間と略重なるように形成されている。導電層５ａ、５ｂは、光透過性の高い材料により形成されており、例えばＰＥＤＯＴにより形成されている。
【００５５】
導電層５ａは、分岐路部１２ａの大部分と重なっており、分岐路部１３ａとは重なっていない。導電層５ｂは、分岐路部２２ｂ２、２３ｂ２の大部分と重なっており、分岐路部２２ｂ１、２３ｂ１とは重なっていない。分岐路部１３ａは、実施例１、２と異なり、途中で分断した分断部１３ａｃが形成されている。導電層５ｂは、分岐路部１２ａ、１３ａに囲まれた内側の部分から、分断部１３ａｃの間を通過して、分岐路部１３ａの外側にある分岐路部２３ｂ２と重なるように形成されている。
【００５６】
図１１は、実施例３の静電容量型入力装置の断面図であり、図１０のＥ−Ｅ断面図である。導電層５ａは分岐路部１２ａを覆うように形成され、導電層５ｂは分岐路部２３ｂ２を覆うように形成されている。これにより、導電層５ａは第１電極１０ａと導通しており、導電層５ｂは第２電極２０ｂと導通している。装飾層３の背面側に第１電極１０ａ〜１０ｃ、第２電極２０ａ〜２０ｄを形成した後、装飾層３、第１電極１０ａ〜１０ｃ、第２電極２０ａ〜２０ｄの背面側に、導電層５ａ、５ｂをスクリーン印刷により形成する。
【００５７】
ユーザの指Ｆが導電層５ａ、５ｂとに重なるように触れることにより、指Ｆと導電層５ａ、５ｂとの間に静電容量が生じる。これにより、指Ｆが開口部１０ａ５の間のみと重なるように触れた場合であっても、接触位置を検出することができる。
【００５８】
実施例１と異なり、実施例３では、導電層５ａと第１電極１０ａとの間に絶縁層は形成されておらず、導電層５ｂと第２電極２０ｂとの間にも絶縁層は形成されていない。これにより、実施例３では、実施例１よりも薄型化が達成されている。
【実施例４】
【００５９】
実施例４の静電容量型入力装置について説明する。図１２は、実施例４の静電容量型入力装置の断面図である。図１２は、図３Ｂと対応している。ベース板１の正面側に、装飾層３、絶縁層７、導電層５、絶縁層８、第１電極１０ａ〜１０ｃ、第２電極２０ａ〜２０ｄが形成され、ベース板１の背面側に透明電極層５１、発光層５３、誘電体層５５、背面電極層５７、保護層５９が形成されている。即ち、ベース板１の一方側に静電容量検出層が形成され、ベース板１の他方側に発光手段の一例である無機ＥＬ層を形成されている。この場合においては、ベース板１の一方側にスクリーン印刷等により静電容量検出層を形成し、その後にベース板１の他方側にスクリーン印刷等により無機ＥＬ層を形成してもよいし、先に無機ＥＬ層を形成してその後に静電容量検出層を形成してもよい。
【００６０】
実施例４の静電容量型入力装置では、例えば、１の正面側に第１電極１０ａ〜１０ｃ、第２電極２０ａ〜２０ｄ、絶縁層８、導電層５、絶縁層７、装飾層３の順にスクリーン印刷により形成する。その後に、ベース板１の背面側に、透明電極層５１、発光層５３、誘電体層５５、背面電極層５７、保護層５９の順にスクリーン印刷により形成する。絶縁層８は、例えばポリエステル系樹脂製であり厚みは約５〜５０μｍである。絶縁層８は、フッ素系樹脂、アクリル系樹脂、ポリスチレン、ポリウレタン、ポリイミド、ポリ塩化ビニル製であってもよい。
【実施例５】
【００６１】
実施例５の静電容量型入力装置について説明する。図１３は、実施例５の静電容量型入力装置の断面図である。図１３は、図９Ｂと対応している。実施例５の静電容量型入力装置は、ベース板１の正面側に、装飾層３、絶縁層８、第１電極１０ａ〜１０ｃ、第２電極２０ａ〜２０ｄが形成され、ベース板１の背面側に透明電極層５１、発光層５３、誘電体層５５、背面電極層５７、保護層５９が形成されている。このように、ベース板１の正面側に静電容量検出層が形成され、ベース板１の他方側に無機ＥＬ層が形成されている。
【００６２】
以上本発明の好ましい実施形態について詳述したが、本発明は係る特定の実施形態に限定されるものではなく、特許請求の範囲に記載された本発明の要旨の範囲内において、変形・変更が可能である。
【００６３】
静電容量型入力装置は、携帯電話、固定電話、電化製品のリモコン、電卓、キーボードやコントローラなどのコンピュータの入力支援装置、電子辞書やＰＤＡなどの携帯装置、車載機器等の電子機器に採用可能である。
【００６４】
発光手段として、発光源（ＬＥＤ等）からの光を静電容量型入力装置の背面側から正面側に案内する導光板や、液晶ディスプレイ等を採用してもよい。
【符号の説明】
【００６５】
１  ベース板
３  装飾層
３ａ  指標部
５、５ａ、５ｂ  導電層
７、８、５０  絶縁層
１０ａ〜１０ｃ  第１電極
１０ａ５、２０ｂ５  開口部
１１ａ１、１１ａ２、２１ｂ１、２１ｂ２  主経路部
１２ａ、１３ａ、２２ｂ１、２２ｂ２、２３ｂ１、２３ｂ２  分岐路部
１３ａｃ  分断部
２０ａ〜２０ｄ  第２電極
３０  レジスト
４０  接続電極
５１  透明電極層
５３  発光層
５５  誘電体層
５７  背面電極層
５９  保護層
【図１】
2011150502.tif 000003
【図２】
2011150502.tif 000004
【図３】
2011150502.tif 000005
【図４】
2011150502.tif 000006
【図５】
2011150502.tif 000007
【図６】
2011150502.tif 000008
【図７】
2011150502.tif 000009
【図８】
2011150502.tif 000010
【図９】
2011150502.tif 000011
【図１０】
2011150502.tif 000012
【図１１】
2011150502.tif 000013
【図１２】
2011150502.tif 000014
【図１３】
2011150502.tif 000015